(57)【要約】【課題】印刷されるべき印刷領域と印刷されるべきでない非印刷領域を持つ２つの媒体が、大きさが同じで、印刷領域が異なる時に、非印刷領域への印刷を防止したい。【解決手段】印刷されるべき印刷領域と印刷されるべきでない非印刷領域を備えた媒体に、印刷を行う印刷制御装置において、前記媒体に備えられた前記印刷領域を検知する検知手段を設けたことを特徴とする印刷制御装置である。【選択図】      図２
2004237554.tif 000002
【特許請求の範囲】
【請求項１】
印刷されるべき印刷領域と印刷されるべきでない非印刷領域を備えた媒体に、印刷を行う印刷制御装置において、
前記媒体に備えられた前記印刷領域を検知する検知手段を設けたことを特徴とする印刷制御装置。
【請求項２】
請求項１に記載の印刷制御装置において、
前記媒体上に印刷すべき領域を示す領域情報を有し、
前記検知手段によって検知された前記印刷領域が、前記領域情報によって示される領域と同じ大きさか否かの判定を行うことを特徴とする印刷制御装置。
【請求項３】
請求項２に記載の印刷制御装置において、
前記領域情報は、同じ大きさの媒体についての、印刷すべき第１領域を示す第１領域情報と、前記第１領域より狭い第２領域を示す第２領域情報と、を備えていることを特徴とする印刷制御装置。
【請求項４】
請求項３に記載の印刷制御装置において、
前記第１領域と同じ大きさの印刷領域を備える第１媒体と、前記第２領域と同じ大きさの印刷領域を備える第２媒体と、をユーザーに選択させるための選択情報を表示する表示手段を設けたことを特徴とする印刷制御装置。
【請求項５】
請求項４に記載の印刷制御装置において、
前記選択情報によりユーザーが前記第１媒体を選択した時は、前記検知手段によって検知された前記印刷領域が、前記第１領域と同じ大きさか否かを判定し、前記選択情報によりユーザーが前記第２媒体を選択した時は、前記検知手段によって検知された前記印刷領域が、前記第２領域と同じ大きさか否かを判定することを特徴とする印刷制御装置。
【請求項６】
請求項５に記載の印刷制御装置において、
前記選択情報によりユーザーが前記第１媒体を選択した時に、前記検知手段によって検知された前記印刷領域が、前記第１領域と同じ大きさでないと判定した時には、
前記媒体への印刷を中止し、
前記選択情報によりユーザーが前記第２媒体を選択した時に、前記検知手段によって検知された前記印刷領域が、前記第２領域と同じ大きさでないと判定した時には、
前記媒体への印刷を中止することを特徴とする印刷制御装置。
【請求項７】
請求項５に記載の印刷制御装置において、
前記選択情報によりユーザーが前記第１媒体を選択した時に、前記検知手段によって検知された前記印刷領域が、前記第１領域と同じ大きさでないと判定した時には、
前記第１領域と、前記検知手段によって検知された前記印刷領域と、が同じ大きさでないことを報知し、
前記選択情報によりユーザーが前記第２媒体を選択した時に、前記検知手段によって検知された前記印刷領域が、前記第２領域と同じ大きさでないと判定した時には、
前記第２領域と、前記検知手段によって検知された前記印刷領域と、が同じ大きさでないことを報知する報知手段を設けたことを特徴とする印刷制御装置。
【請求項８】
請求項５に記載の印刷制御装置において、
前記選択情報によりユーザーが前記第１媒体を選択した時に、前記検知手段によって検知された前記印刷領域が、前記第１領域と同じ大きさでないと判定した時には、
前記第１領域と、前記検知手段によって検知された前記印刷領域と、が同じ大きさでないことを報知し、かつ、前記媒体への印刷を中止し、
前記選択情報によりユーザーが前記第２媒体を選択した時に、前記検知手段によって検知された前記印刷領域が、前記第２領域と同じ大きさでないと判定した時には、
前記第２領域と、前記検知手段によって検知された前記印刷領域と、が同じ大きさでないことを報知し、かつ、前記媒体への印刷を中止することを特徴とする印刷制御装置。
【請求項９】
請求項７又は請求項８に記載の印刷制御装置において、
前記報知手段は、音により報知することを特徴とする印刷制御装置。
【請求項１０】
請求項１乃至請求項９のいずれかに記載の印刷制御装置において、
前記検知手段は、光学式のセンサであることを特徴とする印刷制御装置。
【請求項１１】
請求項１０に記載の印刷制御装置において、
前記光学式のセンサは、光を発する発光素子と、前記光を受ける受光素子と、を備えたことを特徴とする印刷制御装置。
【請求項１２】
請求項１乃至請求項１１のいずれかに記載の印刷制御装置において、
前記媒体の前記印刷領域と前記非印刷領域は、前記媒体の断面構造が異なることを特徴とする印刷制御装置。
【請求項１３】
請求項１乃至請求項１２のいずれかに記載の印刷制御装置において、
前記媒体の前記印刷領域と前記非印刷領域は、前記媒体の材料が異なることを特徴とする印刷制御装置。
【請求項１４】
請求項１乃至請求項１３のいずれかに記載の印刷制御装置において、
前記媒体の前記印刷領域と前記非印刷領域は、前記媒体の表面処理が異なることを特徴とする印刷制御装置。
【請求項１５】
請求項１乃至請求項１４のいずれかに記載の印刷制御装置において、
前記媒体は、円板形状であることを特徴とする印刷制御装置。
【請求項１６】
請求項１５に記載の印刷制御装置において、
円板形状である前記媒体は、前記媒体の中心部に円孔を備え、
前記検知手段は、前記円孔の中心側から前記媒体の円周側に向かって前記印刷領域を検知することを特徴とする印刷制御装置。
【請求項１７】
請求項１５又は請求項１６に記載の印刷制御装置において、
前記非印刷領域は、前記印刷領域よりも前記媒体の中心側に位置することを特徴とする印刷制御装置。
【請求項１８】
請求項１５乃至請求項１７のいずれかに記載の印刷制御装置において、
円板形状である前記媒体を、搬送するための媒体搬送用トレーを設けたことを特徴とする印刷制御装置。
【請求項１９】
印刷されるべき印刷領域と印刷されるべきでない非印刷領域を備えた媒体に、印刷を行う印刷制御装置において、
前記媒体に備えられた前記印刷領域を検知する検知手段を設けたことを特徴とする印刷制御装置。
【請求項２０】
印刷されるべき印刷領域と印刷されるべきでない非印刷領域を備えた媒体に、印刷を行う印刷方法において、
印刷を実行する前に、前記媒体に備えられた前記印刷領域を検知することを特徴とする印刷方法。
【請求項２１】
コンピュータ本体、前記コンピュータ本体と接続可能な印刷装置を有し、
印刷されるべき印刷領域と印刷されるべきでない非印刷領域を備えた媒体に、印刷を行うコンピュータシステムにおいて、
前記媒体に備えられた前記印刷領域を検知する検知手段を設けたことを特徴とするコンピュータシステム。
【発明の詳細な説明】
【０００１】
【発明の属する技術分野】
本発明は、印刷制御装置、印刷方法、コンピュータシステムに関するものである。
【０００２】
【従来の技術】
従来の印刷装置において、ＣＤ−Ｒ等の媒体の表面に印刷を行っていた（特許文献１参照）。
また、媒体のサイズ検知を行っていた（特許文献２参照）。
【０００３】
【特許文献１】
特開２００２−１２７５２０
【特許文献２】
特開平３−２９２１７５
【０００４】
【発明が解決しようとする課題】
しかしながら、従来の技術では、印刷されるべき印刷領域と印刷されるべきでない非印刷領域を持つ２つの媒体があって、それらの大きさが同じで、印刷領域が互いに異なる時には、両者を区別できない。そのため、非印刷領域に誤って印刷装置が印刷してしまう場合がある。そこで、本発明は、非印刷領域への印刷を防止することを目的とする。
【０００５】
【課題を解決するための手段】
前記目的を達成するための主たる発明は、印刷されるべき印刷領域と印刷されるべきでない非印刷領域を備えた媒体に、印刷を行う印刷制御装置において、前記媒体に備えられた前記印刷領域を検知する検知手段を設けたことを特徴とする印刷制御装置である。
【０００６】
【発明の実施の形態】
＝＝＝開示の概要＝＝＝
本明細書及び添付図面の記載により、少なくとも次のことが明らかにされる。
【０００７】
印刷されるべき印刷領域と印刷されるべきでない非印刷領域を備えた媒体に、印刷を行う印刷制御装置において、前記媒体に備えられた前記印刷領域を検知する検知手段を設けたことを特徴とする印刷制御装置。
【０００８】
かかる印刷制御装置によれば、印刷領域と非印刷領域を有する媒体への印刷時に、印刷領域を検知することで、非印刷領域への印刷を防止できる。
【０００９】
かかる印刷制御装置において、前記媒体上に印刷すべき領域を示す領域情報を有し、前記検知手段によって検知された前記印刷領域が、前記領域情報によって示される領域と同じ大きさか否かの判定を行うこととしてもよい。
かかる印刷制御装置によれば、領域情報によって示される領域と、検知手段によって検知された印刷領域が同じ大きさかであるかどうかを判定することで、領域情報によって示される領域と、同じ大きさでない印刷領域をもつ媒体の非印刷領域への印刷を防止できる。
【００１０】
かかる印刷制御装置において、前記領域情報は、同じ大きさの媒体についての、印刷すべき第１領域を示す第１領域情報と、前記第１領域より狭い第２領域を示す第２領域情報と、を備えていることとしてもよい。
かかる印刷制御装置によれば、領域情報が、同じ大きさの媒体について、印刷すべき第１領域を示す第１領域情報と、第１領域より狭い第２領域を示す第２領域情報を備えているから、これらの情報を用いて、第１領域又は第２領域と同じ大きさでない印刷領域をもつ媒体の非印刷領域への印刷を防止できる。
【００１１】
かかる印刷制御装置において、前記第１領域と同じ大きさの印刷領域を備える第１媒体と、前記第２領域と同じ大きさの印刷領域を備える第２媒体と、をユーザーに選択させるための選択情報を表示する表示手段を設けたこととしてもよい。
かかる印刷制御装置によれば、第１領域と同じ大きさの印刷領域を備える第１媒体と、第２領域と同じ大きさの印刷領域を備える第２媒体と、をユーザーに選択させるための選択情報を表示させることで、ユーザーの印刷時の操作性が向上する。
【００１２】
かかる印刷制御装置において、前記選択情報によりユーザーが前記第１媒体を選択した時は、前記検知手段によって検知された前記印刷領域が、前記第１領域と同じ大きさか否かを判定し、前記選択情報によりユーザーが前記第２媒体を選択した時は、前記検知手段によって検知された前記印刷領域が、前記第２領域と同じ大きさか否かを判定することとしてもよい。
かかる印刷制御装置によれば、前記選択情報によりユーザーが第１媒体を選択した時は、前記検知手段によって検知された印刷領域が、前記第１領域と同じ大きさか否かを判定し、前記選択情報によりユーザーが前記第２媒体を選択した時は、前記検知手段によって検知された前記印刷領域が、前記第２領域と同じ大きさか否かを判定することで、ユーザーが選択した媒体が備える印刷すべき領域と同じ大きさでない印刷領域を持つ媒体の非印刷領域への印刷を防止できる。
【００１３】
かかる印刷制御装置において、前記選択情報によりユーザーが前記第１媒体を選択した時に、前記検知手段によって検知された前記印刷領域が、前記第１領域と同じ大きさでないと判定した時には、前記媒体への印刷を中止し、前記選択情報によりユーザーが前記第２媒体を選択した時に、前記検知手段によって検知された前記印刷領域が、前記第２領域と同じ大きさでないと判定した時には、前記媒体への印刷を中止することとしてもよい。
かかる印刷制御装置によれば、前記選択情報によりユーザーが前記第１媒体を選択した時に、前記検知手段によって検知された前記印刷領域が、前記第１領域と同じ大きさでないと判定した時には、前記媒体への印刷を中止し、前記選択情報によりユーザーが前記第２媒体を選択した時に、前記検知手段によって検知された前記印刷領域が、前記第２領域と同じ大きさでないと判定した時には、前記媒体への印刷を中止することで、ユーザーが選択した媒体が備える印刷すべき領域と同じ大きさでない印刷領域を持つ媒体の非印刷領域への印刷を確実に防止できる。
【００１４】
かかる印刷制御装置において、前記選択情報によりユーザーが前記第１媒体を選択した時に、前記検知手段によって検知された前記印刷領域が、前記第１領域と同じ大きさでないと判定した時には、前記第１領域と、前記検知手段によって検知された前記印刷領域と、が同じ大きさでないことを報知し、前記選択情報によりユーザーが前記第２媒体を選択した時に、前記検知手段によって検知された前記印刷領域が、前記第２領域と同じ大きさでないと判定した時には、前記第２領域と、前記検知手段によって検知された前記印刷領域と、が同じ大きさでないことを報知する報知手段を設けたこととしてもよい。
かかる印刷制御装置によれば、前記選択情報によりユーザーが前記第１媒体を選択した時に、前記検知手段によって検知された前記印刷領域が、前記第１領域と同じ大きさでないと判定した時には、前記第１領域と、前記検知手段によって検知された前記印刷領域と、が同じ大きさでないことを報知し、前記選択情報によりユーザーが前記第２媒体を選択した時に、前記検知手段によって検知された前記印刷領域が、前記第２領域と同じ大きさでないと判定した時には、前記第２領域と、前記検知手段によって検知された前記印刷領域と、が同じ大きさでないことを報知するで、ユーザーが選択した媒体が備える印刷すべき領域と同じ大きさでない印刷領域を持つ媒体であることをユーザーに分からせることができる。
【００１５】
かかる印刷制御装置において、前記選択情報によりユーザーが前記第１媒体を選択した時に、前記検知手段によって検知された前記印刷領域が、前記第１領域と同じ大きさでないと判定した時には、前記第１領域と、前記検知手段によって検知された前記印刷領域と、が同じ大きさでないことを報知し、かつ、前記媒体への印刷を中止し、前記選択情報によりユーザーが前記第２媒体を選択した時に、前記検知手段によって検知された前記印刷領域が、前記第２領域と同じ大きさでないと判定した時には、前記第２領域と、前記検知手段によって検知された前記印刷領域と、が同じ大きさでないことを報知し、かつ、前記媒体への印刷を中止することとしてもよい。
かかる印刷制御装置によれば、前記選択情報によりユーザーが前記第１媒体を選択した時に、前記検知手段によって検知された前記印刷領域が、前記第１領域と同じ大きさでないと判定した時には、前記第１領域と、前記検知手段によって検知された前記印刷領域と、が同じ大きさでないことを報知し、かつ、前記媒体への印刷を中止し、前記選択情報によりユーザーが前記第２媒体を選択した時に、前記検知手段によって検知された前記印刷領域が、前記第２領域と同じ大きさでないと判定した時には、前記第２領域と、前記検知手段によって検知された前記印刷領域と、が同じ大きさでないことを報知し、かつ、前記媒体への印刷を中止するで、ユーザーが選択した媒体が備える印刷すべき領域と同じ大きさでない印刷領域を持つ媒体の非印刷領域への印刷を確実に防止するとともに、ユーザーが選択した媒体が備える印刷すべき領域と同じ大きさでない印刷領域を持つ媒体であることをユーザーに分からせることができる。
【００１６】
かかる印刷制御装置において、前記報知手段は、音により報知することとしてもよい。
かかる印刷制御装置によれば、報知手段が音で報知することで、ユーザーに確実に知らせることができる。
【００１７】
かかる印刷制御装置において、前記検知手段は、光学式のセンサであることとしてもよい。
かかる印刷制御装置によれば、検知手段が光学式のセンサであることで、媒体の印刷領域を精度良く検知できる。
【００１８】
かかる印刷制御装置において、前記光学式のセンサは、光を発する発光素子と、前記光を受ける受光素子と、を備えたこととしてもよい。
かかる印刷制御装置によれば、光学式のセンサは、光を発する発光素子と、前記光を受ける受光素子とを備えるので、媒体の印刷領域を精度良く検知できる。
また、センサを小さくでき、コストも安くできる。
【００１９】
かかる印刷制御装置において、前記媒体の前記印刷領域と前記非印刷領域は、前記媒体の断面構造が異なることとしてもよい。
かかる印刷制御装置によれば、媒体の印刷領域と非印刷領域は断面構造が異なるので、印刷領域と非印刷領域をセンサが区別し易い。
【００２０】
かかる印刷制御装置において、前記媒体の前記印刷領域と前記非印刷領域は、前記媒体の材料が異なることとしてもよい。
かかる印刷制御装置によれば、媒体の印刷領域と非印刷領域は材料が異なることで、印刷領域と非印刷領域をセンサが区別し易い。
【００２１】
かかる印刷制御装置において、前記媒体の前記印刷領域と前記非印刷領域は、前記媒体の表面処理が異なることとしてもよい。
かかる印刷制御装置によれば、媒体の印刷領域と非印刷領域は表面処理が異なることで、印刷領域と非印刷領域をセンサが区別し易い。
【００２２】
かかる印刷制御装置において、前記媒体は、円板形状であることとしてもよい。
かかる印刷制御装置によれば、円板形状の媒体でも、非印刷領域への印刷を防止できる。
【００２３】
かかる印刷制御装置において、円板形状である前記媒体は、前記媒体の中心部に円孔を備え、前記検知手段は、前記円孔の中心側から前記媒体の円周側に向かって前記印刷領域を検知することとしてもよい。
かかる印刷制御装置によれば、媒体の中心部に備えられた円孔の中心側から、円周側に向かって印刷領域を検知するので、短時間で印刷領域を検知できる。
【００２４】
かかる印刷制御装置において、前記非印刷領域は、前記印刷領域よりも前記媒体の中心側に位置することとしてもよい。
かかる印刷制御装置によれば、非印刷領域を印刷領域より媒体の中心側に位置させることで、印刷領域を広くすることができる。
【００２５】
かかる印刷制御装置において、円板形状である前記媒体を、搬送するための媒体搬送用トレーを設けたこととしてもよい。
かかる印刷制御装置によれば、搬送用トレーによって搬送される円板形状の媒体に対して、非印刷領域への印刷を防止できる。
【００２６】
また、印刷されるべき印刷領域と印刷されるべきでない非印刷領域を備えた媒体に、印刷を行う印刷制御装置において、前記媒体に備えられた前記印刷領域を検知する検知手段を設けたことを特徴とする印刷制御装置である。
かかる印刷制御装置によれば、印刷領域と非印刷領域を有する媒体への印刷の際に、非印刷領域を検知することで、非印刷領域への印刷を防止できる。
【００２７】
また、印刷されるべき印刷領域と印刷されるべきでない非印刷領域を備えた媒体に、印刷を行う印刷方法において、印刷を実行する前に、前記媒体に備えられた前記印刷領域を検知することを特徴とする印刷方法である。
かかる印刷方法によれば、印刷領域と非印刷領域を有する媒体への印刷を実行する前に、印刷領域を検知することで、非印刷領域への印刷を防止できる。
【００２８】
また、コンピュータ本体、前記コンピュータ本体と接続可能な印刷装置を有し、印刷されるべき印刷領域と印刷されるべきでない非印刷領域を備えた媒体に、印刷を行うコンピュータシステムにおいて、前記媒体に備えられた前記印刷領域を検知する検知手段を設けたことを特徴とするコンピュータシステムである。
かかるコンピュータシステムによれば、印刷領域と非印刷領域を有する媒体への印刷の際に、印刷領域を検知することで、非印刷領域への印刷を防止できる。
【００２９】
＝＝＝第１実施形態＝＝＝
以下、本発明の第１実施形態について、「印刷制御装置の構成」、「インクジェットプリンタの概略」、「給紙機構の構成」、「キャリッジ周辺の構成」、「反射型光学センサの構成」、「媒体の構成」、「媒体の印刷領域の検知」、「選択情報」、「報知手段」、「印刷制御装置の動作」、「コンピュータシステムの構成」の順に説明する。
【００３０】
＝＝＝印刷制御装置の構成＝＝＝
図１は、本実施の形態に係る印刷制御装置を含むコンピュータシステムの概略構成を示した図である。
コンピュータシステム１０００は、コンピュータ本体１１０２と、表示装置１１０４と、印刷装置であるプリンタ１１０６と、入力装置１１０８と、読取装置１１１０とを備えている。コンピュータ本体１１０２は、本実施形態ではミニタワー型の筐体に収納されているが、これに限られるものではない。表示装置１１０４は、ＣＲＴ（Ｃａｔｈｏｄｅ  Ｒａｙ  Ｔｕｂｅ：陰極線管）やプラズマディスプレイや液晶表示装置等が用いられるのが一般的であるが、これに限られるものではない。プリンタ１１０６は、本実施形態ではインクジェットプリンタが用いられているが、これに限られるものではない。入力装置１１０８は、本実施形態ではキーボード１１０８Ａとマウス１１０８Ｂが用いられているが、これに限られるものではない。読取装置１１１０は、本実施形態ではフレキシブルディスクドライブ装置１１１０ＡとＣＤ−ＲＯＭドライブ装置１１１０Ｂが用いられているが、これに限られるものではなく、例えばＭＯ（Ｍａｇｎｅｔ  Ｏｐｔｉｃａｌ）ディスクドライブ装置やＤＶＤ（Ｄｉｇｉｔａｌ  Ｖｅｒｓａｔｉｌｅ  Ｄｉｓｋ）等の他のものであっても良い。
【００３１】
なお、以上の説明においては、プリンタ１１０６が、コンピュータ本体１１０２、表示装置１１０４、入力装置１１０８、及び、読取装置１１１０と接続されてコンピュータシステムを構成した例について説明したが、これに限られるものではない。例えば、コンピュータシステムが、コンピュータ本体１１０２とプリンタ１１０６から構成されても良く、コンピュータシステムが表示装置１１０４、入力装置１１０８及び読取装置１１１０のいずれかを備えていなくても良い。
【００３２】
図２は、コンピュータシステム１０００内の印刷制御装置１０５０の構成を示す図である。
図２に示すように、印刷制御装置１０５０の内部には、コンピュータ本体１１０２から供給された信号を受信するバッファメモリ２５０と、印刷データを格納するイメージバッファ２５２と、プリンタ全体の動作を制御するシステムコントローラ２５４と、メインメモリ２５６と、ＥＥＰＲＯＭ２５８とを備えている。システムコントローラ２５４には、さらに、キャリッジモータ４１を駆動する主走査駆動回路２６１と、紙送りモータ４３を駆動する副走査駆動回路２６２と、印刷ヘッドＩＨ１〜ＩＨ４を駆動するヘッド駆動回路２６３と、アラーム１６を制御する報知手段制御回路２６４と，光学センサ２９を制御する検知手段制御回路２６５と、が接続されている。
【００３３】
コンピュータ本体１１０２から転送された媒体に印刷する印刷データは、一旦、バッファメモリ２５０に蓄えられる。プリンタ内では、システムコントローラ２５４が、バッファメモリ２５０から印刷データの中から必要な情報を読み取り、これに基づいて、主走査駆動回路２６１、副走査駆動回路２６２、ヘッド駆動回路２６３、報知手段制御回路２６４，検知手段制御回路２６５に対して制御信号を送る。
【００３４】
イメージバッファ２５２には、バッファメモリ２５０で受信された複数の色成分の印刷データが格納される。ヘッド駆動回路２６３は、システムコントローラ２５４からの制御信号に従って、イメージバッファ２５２から各色成分の印刷データを読出し、これに応じて印刷ヘッドＩＨ１〜ＩＨ４に設けられた各色のノズルアレイを駆動する。
【００３５】
図３は、本実施の形態に係る印刷制御装置を含む印刷システム２０００の概略構成を示した図である。
印刷システム２０００は、表示部２１０４、プリンタ部２１０６、入力部２１０８、読取部２１１０を備えている。表示部２１０４は、液晶パネルが用いられるのが一般的であるが、これに限られるものではない。プリンタ部２１０６は、本実施形態ではインクジェットプリンタが用いられているが、これに限られるものではない。入力部２１０８は、本実施形態ではボタン２１０８Ａが用いられているが、これに限られるものではない。読取部２１１０は、本実施形態では記憶媒体であるメモリカード（図示していない）が挿入可能なスロット２１１０Ａが用いられているが、これに限られるものではない。
また、図示していないが、表示装置としてのモニタが印刷システムに取り付け可能である。これにより、メモリカード内の印刷データを確認することができる。
また、図示していないが、ＭＯ（Ｍａｇｎｅｔ  Ｏｐｔｉｃａｌ）ディスクドライブ装置等の外部記憶装置が印刷システムに接続可能である。これにより、外部記憶装置に記憶されたデータを直接読み取って印刷することが可能となる。
【００３６】
図４は、印刷システム２０００内の印刷制御装置２０５０の構成を示す図である。
図４に示すように、印刷制御装置２０５０の内部には、入力部２１０８から供給された信号を受信し、読取部２１１０から印刷データを読取り、プリンタ全体の動作を制御するシステムコントローラ３５４と、メインメモリ３５６と、ＥＥＰＲＯＭ３５８とを備えている。システムコントローラ３５４には、さらに、キャリッジモータ４１を駆動する主走査駆動回路３６１と、紙送りモータ４３を駆動する副走査駆動回路３６２と、印刷ヘッドＩＨ１〜ＩＨ４を駆動するヘッド駆動回路３６３と、アラーム１６を制御する報知手段制御回路３６４，光学センサ２９を制御する検知手段制御回路３６５と、が接続されている。
【００３７】
システムコントローラ３５４は、読取部２１１０から読取れた印刷データに基づいて、主走査駆動回路３６１、副走査駆動回路３６２、ヘッド駆動回路３６３、報知手段制御回路３６４，検知手段制御回路３６５に対して制御信号を送る。
【００３８】
また、システムコントローラ３５４には、複数の色成分の印刷データが格納される。ヘッド駆動回路３６３は、システムコントローラ３５４からの制御信号に従って、システムコントローラ３５４から各色成分の印刷データを読出し、これに応じて印刷ヘッドＩＨ１〜ＩＨ４に設けられた各色のノズルアレイを駆動する。
【００３９】
＝＝＝カラーインクジェットプリンタの概略＝＝＝
次に、本実施形態のカラーインクジェットプリンタについて説明する。図５は、カラーインクジェットプリンタを示す斜視図である。
【００４０】
このカラープリンタ１０は、カラー画像の出力が可能なインクジェットプリンタであり、例えば、シアン（Ｃ）、マゼンタ（Ｍ）、イエロ（Ｙ）、ブラック（Ｋ）の４色の色インクをカット紙などの被印刷体上に吐出してドットを形成することによって画像を形成するインクジェット方式のプリンタである。なお、色インクとして、上記４色に加えて、ライトシアン（薄いシアン、ＬＣ）、ライトマゼンタ（薄いマゼンタ、ＬＭ）、ダークイエロ（暗いイエロ、ＤＹ）を用いても良い。
【００４１】
図５に示すように、カラープリンタ１０は、背面側上方から供給された媒体を前面から排出する給紙構造を備えている。プリンタ本体１０の前面には操作パネル１１、排紙部１２が備えられ、背面には給紙部１３が備えられている。操作パネル１１には、各種操作ボタン１１１、表示ランプ１１２が設けられている。排紙部１２は、不使用時に排紙口を塞ぐ排紙トレー１２１が備えられている。
給紙部１３には、図示していない媒体を保持する給紙トレー１３１が備えられている。
【００４２】
＝＝＝給紙機構の構成＝＝＝
本実施形態のカラープリンタ１０は、特に、ストレートパスと呼ばれるもう１つの給紙経路（図５には示していない）を有する構成のものである。これは、厚紙などの一定の厚さや硬さを有する媒体を手差しにより供給する給紙機構である。このストレートパス機構では、ＣＤ−Ｒなどの変則的な寸法、形状の媒体に対しても、媒体搬送用トレーに載置して供給することにより、印刷を行うことが可能である。図６は、これら２つの給紙機構について説明するための、プリンタ１０の要部断面図である。
【００４３】
カラープリンタ１０には、媒体に印刷を行う手段として、摺動軸４４に軸支され、摺動軸方向（主走査方向）に移動するキャリッジ４０が設けられており、このキャリッジ４０には、媒体にインクを吐出して印刷を行うヘッドＩＨ１〜ＩＨ４が搭載されている。ヘッドＩＨ１〜ＩＨ４と対向して、ヘッドＩＨ１〜ＩＨ４のヘッド面と媒体とのギャップを規定するプラテン４２が設けられている。そして、キャリッジ４０を主走査方向に搬送し、媒体をキャリッジ４０とプラテン４２との間で副走査方向Ｙに間欠的に搬送しながら、ヘッドＩＨ１〜ＩＨ４が媒体にインクを吐出することによって、媒体に印刷が行われる。
【００４４】
給紙トレー１３１は、媒体を供給することが可能な構成であり、媒体を自動供給するためのＡＳＦ（オート・シート・フィーダー）が設けられている。ＡＳＦは、給紙トレー１３１に設けられた給紙ローラ１３２、及び図示していない分離パッドを有する自動給紙機構である。給紙ローラ１３２は、略Ｄ形の横断面形状を有しており、ステッピング・モータ等の回転駆動力により回転制御される。そして、給紙ローラ１３２の回転駆動力と分離パッドの摩擦抵抗によって、複数の媒体が一度に給紙されることを防ぐ。
【００４５】
そして、矢印Ａで示した経路に沿ってＡＳＦにより自動給紙された媒体は、給紙ローラ１３２より副走査方向Ｙの下流側に配設された媒体搬送位置決め手段により、印刷実行領域に向けて、所定の紙送り量で間欠的に搬送される。
【００４６】
媒体を副走査方向Ｙに間欠的に搬送し、位置決めする搬送位置決め手段として、搬送駆動ローラ６１と搬送従動ローラ６２が設けられている。搬送駆動ローラ６１は、ステッピング・モータ等の紙送りモータにより回転制御され、媒体は搬送駆動ローラ６１の回転により副走査方向Ｙに搬送される。搬送従動ローラ６２は、複数の搬送従動ローラホルダ６２１に軸支されている。媒体が搬送駆動ローラ６１の回転により搬送される際に、搬送従動ローラ６２は、従動して回転する。
【００４７】
また、給紙ローラ１３２と搬送駆動ローラ６１との間には、紙検出器６３が設けられている。紙検出器６３は、立位姿勢への自己復帰習性が付与され、かつ記録紙搬送方向にのみ回動し得るよう媒体の搬送経路内に突出する状態で枢支されたレバー６３１を有する。このレバー６３１の先端が媒体に押されることにより、レバー６３１が回動し、それによって媒体が検出される構成である。紙検出器６３は、給紙ローラ１３２より給紙された媒体の始端位置、及び終端位置を検出し、その検出位置に合わせて印刷領域が決定され、印刷が実行される。
【００４８】
一方、印刷された媒体を排紙する手段として、排紙駆動ローラ６４と排紙従動ローラ６５が設けられている。排紙駆動ローラ６４は、ステッピング・モータ等の回転駆動力により回転制御され、排紙駆動ローラ６４の回転により、媒体は副走査方向Ｙに排紙される。排紙従動ローラ６５は、周囲に複数の歯を有し、各歯の先端が媒体の記録面に点接触するように鋭角的に尖っている歯付きローラであり、それぞれ、媒体が排紙駆動ローラ６４の回転により排紙される際に従動して回転する。
【００４９】
さらに、プリンタ１０には、上述したＡＳＦによる給紙経路（符号Ａの矢印で示した経路）とは別に、例えばＣＤ−Ｒ（Ｃｏｍｐａｃｔ  Ｄｉｓｋ  Ｒｅｃｏｒｄａｂｌｅ）など、柔軟性の少ない被印刷体などを供給するための給紙路が設けられている。図中、この給紙路を符号Ｂの矢印で示している。そして、プリンタ１０は、この矢印Ｂの給紙路から給紙された媒体に対しても、前記ＡＳＦから給紙された媒体と同様に印刷を実行することができる。
【００５０】
さらに、プリンタ１０は、図示していないが、搬送従動ローラレリース機構を備えている。媒体をセット位置にセットする際に、搬送従動ローラ６２を搬送駆動ローラ６１から離間させた状態（レリース状態）に保持し、媒体を給紙路に挿入して印刷セット位置にセットし、印刷セット位置への位置合わせ完了後に、そのレリース状態を解除し、搬送従動ローラ６２が搬送駆動ローラ６１によって付勢される状態に復帰する。
【００５１】
＝＝＝キャリッジ周辺の構成＝＝＝
次にインクジェットプリンタ１０内部のキャリッジ４０及びその周辺の構成について説明する。図７は、そのキャリッジ４０周辺の構成を示した斜視図である。
【００５２】
図７に示すように、キャリッジ４０は、駆動ベルト４５によりプーリ４６を介してキャリッジモータ４１に接続され、摺動軸４４に案内されてプラテン４２に平行に移動するように駆動される。キャリッジ４０の媒体に対向する面には、ブラックインクを吐出するノズル列及びカラーインクを吐出するノズル列を有するヘッドＩＨ１〜ＩＨ４が設けられ、各ノズルはインクカートリッジＩＮＣ１、ＩＮＣ２からインクの供給を受けて媒体にインク滴を吐出し、文字や画像を印刷する。
【００５３】
また、キャリッジ４０の非印字領域には、非印字時にヘッドＩＨ１〜ＩＨ４のノズル開口を封止するためのキャッピング装置２５と、図示しないポンプモータを有するポンプユニット２６とが設けられている。キャリッジ４０が印字領域から非印字領域に移動すると、図示しないレバーにキャリッジ４０が当接して、キャッピング装置２５が上方に移動し、ヘッドＩＨ１〜ＩＨ４を封止する。
【００５４】
ヘッドＩＨ１〜ＩＨ４のノズル開口列に目詰まりが生じた場合や、インクカートリッジＩＮＣ１、ＩＮＣ２の交換等を行ってヘッドＩＨ１〜ＩＨ４から強制的にインクを吐出する場合は、ヘッドＩＨ１〜ＩＨ４を封止した状態でポンプユニット２６を作動させ、ポンプユニット２６からの負圧により、ノズル開口列からインクを吸い出す。これにより、ノズル開口列の近傍に付着している塵埃や紙粉が洗浄され、さらにはヘッドＩＨ１〜ＩＨ４内の気泡がインクとともにキャップ２７に排出される。
【００５５】
また、キャリッジには、反射型光学センサ２９が取り付けられている。そして、キャリッジが移動することで、反射型光学センサ２９が媒体の印刷領域を検知することが可能である。
【００５６】
さらに、円板状の媒体の場合は、図に示すように、媒体搬送用トレー９３の上に円板状の媒体８３をセットして、円板状の媒体８３への印刷を行っている。
【００５７】
＝＝＝反射型光学センサの構成＝＝＝
次に、検知手段の一例として、反射型光学センサについて説明する。図８は、反射型光学センサ２９を説明するための模式図である。
【００５８】
反射型光学センサ２９は、発光ダイオードから構成される発光手段の一例としての発光素子３８と、例えばフォトトランジスタから構成される受光センサの一例としての受光素子３９を有している。発光素子３８から発した光、すなわち入射光は、媒体８３や発せられた光の進行方向に媒体８３がない場合にはプラテン２６により反射され、その反射光は受光素子３９で受光され、電気信号に変換される。そして、受光した反射光の強さに応じた受光センサの出力値として、電気信号の大きさが測定される。
【００５９】
また、上記においては、受光した反射光の強さを得るために、反射光を電気信号に変換した後に電気信号の大きさを測定することとしたが、これに限定されるものではなく、受光した反射光の強さに応じた受光センサの出力値を測定することができればよい。
【００６０】
＝＝＝媒体の構成＝＝＝
次に、媒体の一例として、円板形状の媒体について、図９、図１０を参照して説明する。
図９Ａは、印刷領域と非印刷領域を有する円板状の媒体であるＰ−ＣＤ−Ｒ（第１媒体）が印刷された状態を示す図である。図９Ｂは、Ｐ−ＣＤ−Ｒと大きさが同一で、印刷領域がＰ−ＣＤ−Ｒより小さいＣＤ−Ｒ（第２媒体）が印刷された状態を示す図である。
図９Ａと図９Ｂを比較すると、Ｐ−ＣＤ−Ｒの方が、ＣＤ−Ｒよりも媒体の中心側まで画像が印刷されている。このように、Ｐ−ＣＤ−Ｒの方が、ＣＤ−Ｒよりも広範囲に印刷できる。なお、Ｐ−ＣＤ−ＲとＣＤ−Ｒの中心には同じ大きさの円孔８５がある。
そして、本実施の形態では、このＰ−ＣＤ−ＲとＣＤ−Ｒの印刷領域を検知する。
【００６１】
図１０Ａは、印刷領域と非印刷領域の表面処理の違いを示している図である。印刷領域には表面処理１がなされているが、非印刷領域には表面処理がされていない。そして、例えば、表面処理１がされている印刷領域の部分は、発光素子３８からの入射光を拡散させるが、表面処理がされていない非印刷領域の部分は、印刷領域の部分よりも、発光素子３８からの入射光を拡散させない。そのため、入射光が印刷領域の部分で反射された場合、受光素子３９の受光量は少ない。一方、入射光が非印刷領域の部分で反射された場合、受光素子３９の受光量は大きい。この性質を使えば、印刷領域の検知が可能となる。ここで、表面処理とは、例えば、媒体の表面に反射防止の膜をつけたりすることを意味するが、これに限定されるものではない。また、この表面処理の中には、インク吸収層等も含まれてもよく、これにより印刷時にインクが吸収される構成をとっても良い。また、図１０Ａでは印刷領域にのみ表面処理されているが、非印刷領域にも表面処理がされても良い。例えば、印刷領域には表面処理１がされ、非印刷領域には表面処理１とは異なる表面処理２がされている場合等が該当する。
【００６２】
なお、印刷領域と非印刷領域の違いは、以下の形態であってもよい。
図１０Ｂは、印刷領域と非印刷領域の材料の違いを示している図である。ここで、材料Ａと材料Ｂは、センサの発光素子３８による入射光に対し、反射率に差がある材料である。例えば、材料Ａが、普通紙等のように表面が粗い材料であり、材料Ｂが、光沢紙等のように平滑度が高い材料である。そして、この材料の反射率を用いて、印刷領域を検知することができる。
【００６３】
図１０Ｃは、印刷領域と非印刷領域の断面構造の違いを示している図である。図に示すように、印刷領域部分の媒体の厚みａは、非印刷領域部分の媒体の厚みｂより大きくなっている。この場合、印刷領域部分における反射光の光路の軌跡と、非印刷領域の部分における反射光の光路の軌跡は異なる。印刷領域部分における反射光の受光を正規に行う位置に受光素子３９があれば、非印刷領域部分における反射光の中には受光素子３９に対して受光されないものが生じる。そのため、印刷領域と非印刷領域では、受光素子３９の受光量に差が生じる。これにより、印刷領域を検知することが可能である。
【００６４】
＝＝＝媒体の印刷領域の検知＝＝＝
次に、反射型光学センサの印刷領域の検知について説明する。
図１１は、媒体の印刷領域をセンサが検知する様子を示す図である。
図１２は、媒体の円孔の中心側から媒体の円周側に向かって、媒体の印刷領域をセンサが検知する様子を示す図である。
【００６５】
図１１に示すように、キャリッジ４０に備え付けられているセンサ２９が、主走査方向に移動する。そして、前述した通り、センサの発光素子３８による入射光が、媒体によって反射された反射光を受光素子３９で受光することで、印刷領域を検知することになる。この際に、円板形状の媒体の場合は、センサは媒体の中心部を通るように移動すると良い。印刷領域が円で囲まれているので、印刷領域の範囲の誤検知を防ぐことが可能となるからである。
【００６６】
図１２に示すように、円板形状の媒体の中心部に円孔８５がある場合、キャリッジ４０に備え付けられているセンサ２９が、図に示す主走査方向上を、媒体の中心側から媒体の円周側に向かって移動する。こうすれば、センサの移動距離を、図１１に示すセンサの移動距離の約半分に抑えることができる。これにより、検知時間の短縮化が図れる。
【００６７】
なお、従来、円板形状の媒体の場合は、印刷する前に媒体の位置決めをする位置決めセンサ等が用いられている。そこで、反射型光学センサと位置決めセンサを共用化しても良い。そうすれば、装置の小型化に寄与できる。また、位置決めの際に、媒体の中心部も同時に検知しておけば、反射型光学センサの検知開始も瞬時に可能となる。これにより、さらなる検知時間の短縮化が図れる。
【００６８】
＝＝＝選択情報＝＝＝
次に、媒体をユーザーに選択させるための選択情報について説明する。図１４は、印刷制御装置に接続された表示装置１１０４の画面に表示されたプリンタドライバのユーザーインターフェースを示す説明図である。ユーザーは、入力装置１１０８を用いて、プリンタドライバの各種の設定を行うことができる。
【００６９】
ユーザーは、この画面上から、選択情報を用いて媒体を選択することができる。例えば、ユーザーは、第１媒体を示す「Ｐ−ＣＤ−Ｒ」という表示（情報）又は第２媒体を示す「ＣＤ−Ｒ」という表示（情報）を選択することができる。
なお、印刷制御装置は、ユーザーが選択可能な各媒体に対応した領域情報を有している。ここで、領域情報とは、媒体上に印刷すべき領域を示すものである。例えば、第１媒体に対しては、第１領域情報を有し、第２媒体に対しては、第２領域情報を有している。ユーザーが第１媒体を選択した時は、第１媒体の示す印刷領域と同じ大きさの第１領域を示す第１領域情報を、領域情報と認識する。ユーザーが第２媒体を選択した時は、第２媒体の示す印刷領域と同じ大きさの第２領域を示す第２領域情報を、領域情報と認識する。これにより、センサで検知した印刷領域と、領域情報の示す領域である、第１領域もしくは第２領域とが同じ大きさかどうかの判定が可能となる。
【００７０】
＝＝＝報知手段＝＝＝
次に、ユーザーが選択した媒体に対応した領域情報の示す領域と、反射型光学センサ２９によって検知された印刷領域が同じ大きさでないことをユーザーに報知する報知手段について、図１５を用いて説明する。
【００７１】
図１５Ａは、報知手段が、音による報知である例を示している。
印刷装置１０につけられたアラーム１６により、ユーザーに報知する。これにより、聴覚的に、ユーザーに分からせることが可能となる。
図１５Ｂは、報知手段が、文字による報知である例を示している。
表示装置１１０４の画面上に文字による報知を行い、ユーザーに正しい媒体のセットを促す。これにより、視覚的に、ユーザーに分からせることが可能となる。
なお、上記では、アラームと文字による報知を別々に説明したが、当然２つの報知手段が一連の流れで行われても良い。こうすれば、より確実に、ユーザーに分からせることが可能となる。
【００７２】
＝＝＝印刷制御装置の動作＝＝＝
次に、図１６を参照して、本実施の形態に係る印刷制御装置の動作について説明する。図１６は、媒体の印刷領域を検知して、媒体へ印刷するまでの制御の流れを説明するフローチャートある。
【００７３】
印刷制御装置１０５０は、まず、表示装置１１０４の画面に、各種の媒体、特に、第１媒体を示すＰ−ＣＤ−Ｒと第２媒体を示すＣＤ−Ｒとを、ユーザーに選択させるための選択情報を表示させる（ステップｓ１００）。これにより、ユーザーが「Ｐ−ＣＤ−Ｒ」という表示（情報）もしくは「ＣＤ−Ｒ」という表示（情報）を選択することが可能となる。
【００７４】
印刷制御装置１０５０は、次に、選択情報を認識するために、ユーザーが「Ｐ−ＣＤ−Ｒ」という表示（情報）と「ＣＤ−Ｒ」という表示（情報）のいずれを選択するかを待つ（ステップｓ１０２）。
そして、ユーザーが「Ｐ−ＣＤ−Ｒ」という表示（情報）を選択すれば、第１領域情報を領域情報と認識し、ユーザーが「ＣＤ−Ｒ」という表示（情報）を選択すれば、第２領域情報を領域情報と認識する。
【００７５】
＜ユーザーが第１媒体を選択した場合＞
印刷制御装置１０５０は、次に、ユーザーが第１媒体を示す「Ｐ−ＣＤ−Ｒ」という表示（情報）を選択した場合、第１領域を示す第１領域情報を領域情報として認識する（ステップｓ１１０）。これにより、前記第１領域は、後述の判定の基準となる。
【００７６】
印刷制御装置１０５０は、次に、光学式センサにより、媒体の印刷領域を検知する（ステップｓ１１２）。検知方法については、前述した通りである。これにより、検知された印刷領域と前記第１領域が同じ大きさかどうかの判定が可能である。
【００７７】
印刷制御装置１０５０は、次に、光学式センサにより検知された印刷領域と、前記第１領域が同じ大きさかどうかの判定をする（ステップｓ１１４）。この判定の結果、媒体へ印刷をするか又は中止するかを決める。
【００７８】
印刷制御装置１０５０は、次に、光学式センサにより検知された印刷領域と、前記第１領域が同じ大きさでない場合、媒体への印刷を中止する（ステップｓ１１６）。これにより、非印刷領域への印刷を防止できる。
【００７９】
印刷制御装置１０５０は、次に、光学式センサにより検知された印刷領域と、第１領域が同じ大きさでないことをユーザーに報知する（ステップｓ１１８）。これにより、ユーザーは、光学式センサにより検知された印刷領域と、第１領域が同じ大きさでないことを確実に分かることができる。
なお、上記のステップｓ１１６とステップｓ１１８は、順番が入れ替わる構成でもよい。また、ステップｓ１１６とステップｓ１１８のいずれか一方のみが、実施される構成でもよい。
【００８０】
印刷制御装置１０５０は、ユーザーが媒体の交換をした時に、再度、光学式センサにより、媒体の印刷領域を検知する（ステップｓ１１２）。そして、印刷制御装置１０５０は、光学式センサにより検知された印刷領域と、前記第１領域が同じ大きさかどうかの判定を再び行う（ステップｓ１１４）。そして、光学式センサにより検知された印刷領域と、前記第１領域が同じ大きさでない場合は、再度、ステップｓ１１６またはステップｓ１１８を行う。つまり、光学式センサにより検知された印刷領域と、前記第１領域が同じ大きさになるまで、ステップｓ１１２からステップｓ１１８までを繰り返し行うことになる。
【００８１】
一方、印刷制御装置１０５０は、光学式センサにより検知された印刷領域と、第１領域が同じ大きさの場合、キャリッジモータ４１、紙送りモータ４３、印刷ヘッドＩＨ１〜４の駆動制御を行うことで、媒体への印刷を実施する（ステップｓ１０４）。これにより、一連の制御を終了する。
【００８２】
＜ユーザーが第２媒体を選択した場合＞
印刷制御装置１０５０は、次に、ユーザーが第２媒体を示す「ＣＤ−Ｒ」という表示（情報）を選択した場合、第２領域を示す第２領域情報を領域情報として認識する（ステップｓ１３０）。これにより、前記第２領域は、後述の判定の基準となる。
【００８３】
印刷制御装置１０５０は、次に、光学式センサにより、媒体の印刷領域を検知する（ステップｓ１３２）。検知方法については、前述した通りである。これにより、検知された印刷領域と前記第２領域が同じ大きさかどうかの判定が可能となる。
【００８４】
印刷制御装置１０５０は、次に、光学式センサにより検知された印刷領域と、前記第２領域が同じ大きさかどうかの判定をする（ステップｓ１３４）。この判定の結果、媒体へ印刷をするか又は中止するかを決める。
【００８５】
印刷制御装置１０５０は、次に、光学式センサにより検知された印刷領域と、前記第２領域が同じ大きさでない場合、媒体への印刷を中止する（ステップｓ１３６）。これにより、非印刷領域への印刷を防止できる。
【００８６】
印刷制御装置１０５０は、次に、光学式センサにより検知された印刷領域と、前記第２領域が同じ大きさでないことをユーザーに報知する（ステップｓ１３８）。これにより、ユーザーは、光学式センサにより検知された印刷領域と、前記第２領域が同じ大きさでないことを確実に分かることができる。
なお、上記のステップｓ１３６とステップｓ１３８は、順番が入れ替わる構成でもよい。また、ステップｓ１３６とステップｓ１３８のいずれか一方のみが、実施される構成でもよい。
【００８７】
印刷制御装置１０５０は、ユーザーが媒体の交換をした時に、再度、光学式センサにより、媒体の印刷領域を検知する（ステップｓ１３２）。そして、印刷制御装置１０５０は、光学式センサにより検知された印刷領域と、前記第２領域が同じ大きさかどうかの判定を再び行う（ステップｓ１３４）。そして、光学式センサにより検知された印刷領域と、前記第２領域が同じ大きさでない場合は、再度、ステップｓ１３６またはステップｓ１３８を行う。つまり、光学式センサにより検知された印刷領域と、前記第２領域が同じ大きさになるまで、ステップｓ１３２からステップｓ１３８までを繰り返し行うことになる。
【００８８】
一方、印刷制御装置１０５０は、光学式センサにより検知された印刷領域と、第２領域が同じ大きさの場合、キャリッジモータ４１、紙送りモータ４３、印刷ヘッドＩＨ１〜４の駆動制御を行うことで、媒体への印刷を実施する（ステップｓ１０４）。これにより、一連の制御を終了する。
【００８９】
なお、前述では、画像データの説明を省いているが、印刷制御装置の画像データの認識は、媒体への印刷の前までに行われればよく、必ずしも上記の一連の制御の中で行われる必要も無い。
また、前記第１領域もしくは前記第２領域に合わせて、画像データが加工されても良い。例えば、画像データの示す領域と前記第１領域もしくは前記第２領域が同じ大きさでない場合は、画像データの一部を削除したりしても良い。
【００９０】
上記の印刷制御装置の一連の動作により、印刷されるべき印刷領域と印刷されるべきでない非印刷領域を持ち、大きさが同じで、印刷領域の大きさが異なる、Ｐ−ＣＤ−ＲとＣＤ−Ｒにおいて、非印刷領域への印刷を防止することができる。
【００９１】
＝＝＝コンピュータシステムの構成＝＝＝
次に、本発明に係る実施形態の一例であるコンピュータシステムについて説明する。なお、コンピュータシステムの外観構成については、前述した通りである。
【００９２】
図１８は、図１に示したコンピュータシステムの構成を示すブロック図である。コンピュータ本体１１０２が収納された筐体内に、ＲＡＭ等の内部メモリ１２０２と、ハードディスクドライブユニット１２０４等の外部メモリがさらに設けられている。
上述したプリンタの動作を制御するコンピュータプログラムは、例えばインターネット等の通信回線を経由して、プリンタ１１０６に接続されたコンピュータ１０００等にダウンロードさせることができるほか、コンピュータによる読み取り可能な記録媒体に記録して配布等することもできる。記録媒体としては、例えば、フレキシブルディスクＦＤ、ＣＤ−ＲＯＭ、ＤＶＤ−ＲＯＭ、光磁気ディスクＭＯ、ハードディスク、メモリ等の各種記録媒体を用いることができる。なお、このような記憶媒体に記憶された情報は、各種の読取装置１１１０によって、読み取り可能である。
このようにして実現されたコンピュータシステムは、システム全体として従来システムよりも優れたシステムとなる。
【００９３】
＝＝＝第２実施形態＝＝＝
次に、本発明の第２実施形態について説明する。
第１実施形態は媒体の印刷領域を検知することに特徴があるのに対して、第２実施形態は媒体の非印刷領域を検知することに特徴がある。
そこで、以下では、上記の違いによって第１実施形態と構成が異なる、「媒体の非印刷領域の検知」、「選択情報」、「報知手段」、「印刷制御装置の動作」について説明する。
【００９４】
＝＝＝媒体の非印刷領域の検知＝＝＝
まず、反射型光学センサの非印刷領域の検知について説明する。
図１３は、媒体の非印刷領域の検知を説明するための模式図である。
【００９５】
図１３に示すように、キャリッジ４０に備え付けられているセンサ２９が、主走査方向に移動する。そして、前述した通り、センサの発光素子３８による入射光が、媒体によって反射された反射光を受光素子３９で受光することで、非印刷領域を検知することになる。これだと、印刷領域を検知する時よりも短時間で検知が可能となる。
また、円板形状の媒体の場合は、センサは媒体の中心部を通るように移動すると良い。非印刷領域が円で囲まれているので、非印刷領域の範囲の誤検知を防ぐことが可能となるからである。
【００９６】
なお、図示しないが、非印刷領域の検知の際にも、円板形状の媒体の中心部に円孔がある場合、キャリッジに備え付けられているセンサ２９が、主走査方向上で、媒体の中心側から媒体の円周側に向かって移動して、媒体の非印刷領域を検知する構成をとってもよい。センサの移動距離を、図１３に示すセンサの移動距離の約半分に抑えることができる。これにより、検知時間の短縮化が図れる。
【００９７】
＝＝＝選択情報＝＝＝
次に、媒体をユーザーに選択させるための選択情報について説明する。図１４は、印刷制御装置に接続された表示装置１１０４の画面に表示されたプリンタドライバのユーザーインターフェースを示す説明図である。ユーザーは、入力装置１１０８を用いて、プリンタドライバの各種の設定を行うことができる。
【００９８】
ユーザーは、この画面上から、選択情報を用いて媒体を選択することができる。例えば、ユーザーは、第１媒体を示す「Ｐ−ＣＤ−Ｒ」という表示（情報）又は第２媒体を示す「ＣＤ−Ｒ」という表示（情報）を選択することができる。
なお、印刷制御装置は、ユーザーが選択可能な各媒体に対応した領域情報を有している。ここで、領域情報とは、媒体上に印刷されるべきでない領域を示すものである。例えば、第１媒体に対しては、第３領域情報を有し、第２媒体に対しては、第４領域情報を有している。ユーザーが第１媒体を選択した時は、第１媒体の示す非印刷領域と同じ大きさの第３領域を示す第３領域情報を、領域情報と認識する。ユーザーが第２媒体を選択した時は、第２媒体の示す非印刷領域と同じ大きさの第４領域を示す第４領域情報を、領域情報と認識する。これにより、センサで検知した非印刷領域と、領域情報の示す領域である、第３領域もしくは第４領域とが同じ大きさかどうかの判定が可能となる。
【００９９】
＝＝＝報知手段＝＝＝
次に、ユーザーが選択した媒体に対応した領域情報の示す領域と、反射型光学センサ２９によって検知された非印刷領域が同じ大きさでないことをユーザーに報知する報知手段について、図１５を用いて説明する。
【０１００】
図１５Ａは、報知手段が、音による報知である例を示している。
印刷装置１０につけられたアラーム１６により、ユーザーに報知する。これにより、聴覚的に、ユーザーに分からせることが可能となる。
図１５Ｂは、報知手段が、文字による報知である例を示している。
表示装置１１０４の画面上に文字による報知を行い、ユーザーに正しい媒体のセットを促す。これにより、視覚的に、ユーザーに分からせることが可能となる。
なお、上記では、アラームと文字による報知を別々に説明したが、当然２つの報知手段が一連の流れで行われても良い。こうすれば、より確実に、ユーザーに分からせることが可能となる。
【０１０１】
＝＝＝印刷制御装置の動作＝＝＝
次に、図１７を参照して、本実施の形態に係る印刷制御装置の動作について説明する。図１７は、印刷制御装置１０５０が、媒体の非印刷領域を検知して、媒体へ印刷するまでの制御の流れを説明するフローチャートある。
【０１０２】
印刷制御装置１０５０は、まず、表示装置１１０４の画面に、第１媒体を示すＰ−ＣＤ−Ｒと第２媒体を示すＣＤ−Ｒを、ユーザーに選択させるための選択情報を表示させる（ステップｓ１００）。これにより、ユーザーが「Ｐ−ＣＤ−Ｒ」という表示（情報）もしくは「ＣＤ−Ｒ」という表示（情報）を選択することが可能となる。
【０１０３】
印刷制御装置１０５０は、次に、選択情報を認識するために、ユーザーが「Ｐ−ＣＤ−Ｒ」という表示（情報）と「ＣＤ−Ｒ」という表示（情報）のいずれを選択するかを待つ（ステップｓ２０２）。
そして、ユーザーが「Ｐ−ＣＤ−Ｒ」という表示（情報）を選択すれば、第３領域情報を領域情報と認識し、ユーザーが「ＣＤ−Ｒ」という表示（情報）を選択すれば、第４領域情報を領域情報と認識する。
【０１０４】
＜ユーザーが第１媒体を選択した場合＞
印刷制御装置１０５０は、次に、ユーザーが第１媒体である「Ｐ−ＣＤ−Ｒ」という表示（情報）を選択した場合、第３領域を示す第３領域情報を領域情報として認識する（ステップｓ２１０）。これにより、第３領域は、後述の判定の基準となる。
【０１０５】
印刷制御装置１０５０は、次に、光学式センサにより、媒体の非印刷領域を検知する（ステップｓ２１２）。検知方法については、前述した通りである。非印刷領域を検知することで、非印刷領域と前記第３領域が同じ大きさかどうかの判定が可能となる。
【０１０６】
印刷制御装置１０５０は、次に、光学式センサにより検知された非印刷領域と、第３領域が同じ大きさかどうかの判定をする（ステップｓ２１４）。この判定の結果、媒体へ印刷をするか又は中止するかを決める。
【０１０７】
印刷制御装置１０５０は、次に、光学式センサにより検知された非印刷領域と、第３領域が同じ大きさでない場合、媒体への印刷を中止する（ステップｓ２１６）。これにより、非印刷領域への印刷を防止することができる。
【０１０８】
印刷制御装置１０５０は、次に、光学式センサにより検知された非印刷領域と、第３領域が同じ大きさでないことをユーザーに報知する（ステップｓ２１８）。これにより、ユーザーは、光学式センサにより検知された非印刷領域と、第３領域が同じ大きさでないことを確実に分かることができる。
なお、上記のステップｓ２１６とステップｓ２１８は、順番が入れ替わる構成でもよい。また、ステップｓ２１６とステップｓ２１８のいずれか一方のみが、実施される構成でもよい。
【０１０９】
印刷制御装置１０５０は、ユーザーが媒体の交換をした時に、再度、光学式センサにより、媒体の非印刷領域を検知する（ステップｓ２１２）。そして、印刷制御装置１０５０は、光学式センサにより検知された非印刷領域と、第３領域が同じ大きさかどうかの判定を再び行う（ステップｓ２１４）。そして、光学式センサにより検知された非印刷領域と、第３領域が同じ大きさでない場合は、再度、ステップｓ２１６またはステップｓ２１８を行う。つまり、光学式センサにより検知された非印刷領域と、第３領域が同じ大きさになるまで、ステップｓ２１２からステップｓ２１８までを繰り返し行うことになる。
【０１１０】
一方、印刷制御装置１０５０は、光学式センサにより検知された非印刷領域と、第３領域が同じ大きさの場合、キャリッジモータ４１、紙送りモータ４３、印刷ヘッドＩＨ１〜４の駆動制御を行うことで、媒体への印刷を実施する（ステップｓ２０４）。これにより、一連の制御を終了する。
【０１１１】
＜ユーザーが第２媒体を選択した場合＞
印刷制御装置１０５０は、次に、ユーザーが第２媒体である「ＣＤ−Ｒ」という表示（情報）を選択した場合、第４領域を示す第４領域情報を領域情報として認識する（ステップｓ２１０）。これにより、第４領域は、後述の判定の基準となる。
【０１１２】
印刷制御装置１０５０は、次に、光学式センサにより、媒体の非印刷領域を検知する（ステップｓ２１２）。検知方法については、前述した通りである。非印刷領域を検知することで、非印刷領域と前記第４領域が同じ大きさかどうかの判定が可能となる。
【０１１３】
印刷制御装置１０５０は、次に、光学式センサにより検知された非印刷領域と、第４領域が同じ大きさかどうかの判定をする（ステップｓ２３４）。この判定の結果により、媒体へ印刷をするか又は中止するかを決めることになる。
【０１１４】
印刷制御装置１０５０は、次に、光学式センサにより検知された非印刷領域と、前記第４領域が同じ大きさでない場合、媒体への印刷を中止する（ステップｓ２３６）。これにより、非印刷領域への印刷を防止することができる。
【０１１５】
印刷制御装置１０５０は、次に、光学式センサにより検知された非印刷領域と、前記第４領域が同じ大きさでないことをユーザーに報知する（ステップｓ２３８）。これにより、ユーザーは、光学式センサにより検知された非印刷領域と、前記第４領域が同じ大きさでないことを確実に分かることができる。
なお、上記のステップｓ２３６とステップｓ２３８は、順番が入れ替わる構成でもよい。また、ステップｓ２３６とステップｓ２３８のいずれか一方のみが、実施される構成でもよい。
【０１１６】
印刷制御装置１０５０は、ユーザーが媒体の交換をした時に、再度、光学式センサにより、媒体の非印刷領域を検知する（ステップｓ２３２）。そして、印刷制御装置１０５０は、光学式センサにより検知された非印刷領域と、前記第４領域が同じ大きさかどうかの判定を再び行う（ステップｓ２３４）。そして、光学式センサにより検知された非印刷領域と、前記第４領域が同じ大きさでない場合は、再度、ステップｓ２３６またはステップｓ２３８を行う。つまり、光学式センサにより検知された非印刷領域と、前記第４領域が同じ大きさになるまで、ステップｓ２３２からステップｓ２３８までを繰り返し行うことになる。
【０１１７】
一方、印刷制御装置１０５０は、光学式センサにより検知された非印刷領域と、第４領域が同じ大きさの場合、キャリッジモータ４１、紙送りモータ４３、印刷ヘッドＩＨ１〜４の駆動制御を行うことで、媒体への印刷を実施する（ステップｓ２０４）。これにより、一連の制御を終了する。
【０１１８】
上記の印刷制御装置の一連の動作により、印刷されるべき印刷領域と印刷されるべきでない非印刷領域を持ち、大きさが同じで、印刷領域の大きさが異なる、Ｐ−ＣＤ−ＲとＣＤ−Ｒにおいて、非印刷領域への印刷を防止することができる。
【０１１９】
＝＝＝その他の実施形態＝＝＝
以上、いくつかの実施の形態に基づき本発明に係る印刷装置等を説明してきたが、上記した発明の実施の形態は、本発明の理解を容易にするためのものであり、本発明を限定するものではない。本発明は、その趣旨を逸脱することなく、変更、改良され得ると共に、本発明にはその等価物が含まれることは言うまでもない。特に、以下に述べる実施形態であっても、本発明に含まれるものである。
【０１２０】
＜検知手段について＞
前述の実施形態では、媒体の印刷領域・非印刷領域の検知手段として反射型光学センサを用いたが、媒体の印刷領域と非印刷領域を区別できるものであれば、これに限られることなく、例えば、透過型光学センサ、機械式センサを使用してもよい。
【０１２１】
＜媒体について＞
前述の実施形態では、円板形状の媒体を用いたが、もちろんシート状の印刷用紙等が含まれるのは言うまでもない。また、表裏の両面の内、一方の面がデータ等を記憶し、もう一方の面に印刷する媒体も含まれる。例えば、ＣＤ（ＣｏｍｐａｃｔＤｉｓｋ）、ＤＶＤ（Ｄｉｇｉｔａｌ  Ｖｉｄｅｏｄｉｓｋ）等が該当する。
【０１２２】
＜選択情報について＞
前述の実施形態では、選択情報として、「ＣＤ−Ｒ」、「Ｐ−ＣＤ−Ｒ」の文字を用いたが、これに限られることなく、２つの媒体を識別できるのであれば、図形、記号等が含まれてもよい。
【０１２３】
＜報知手段について＞
前述の実施形態では、アラームや文字による報知を用いたが、これに限られることなく、ユーザーに分からせることができれば、他の方法であってもよい。
【０１２４】
＜印刷装置について＞
上記各実施の形態では、印刷装置としてインクジェットプリンタを用いたが、媒体に印刷処理できる印刷装置であれば、これに限られることなく、例えば、モノクロプリンタ、レーザプリンタ、ファクシミリ等に適用しても良い。
【０１２５】
【発明の効果】
本発明によれば、印刷されるべき印刷領域と印刷されるべきでない非印刷領域を持つ２つの媒体が、大きさが同じで、印刷領域が異なる時に、非印刷領域への印刷を防止することができる。
【図面の簡単な説明】
【図１】本実施の形態に係る印刷制御装置を含むコンピュータシステムの外観構成を示した図
【図２】コンピュータシステムの中の印刷制御装置の構成を示すブロック図
【図３】本実施の形態に係る印刷制御装置を含む印刷システムの外観構成を示した図である。
【図４】印刷システムの中の、印刷制御装置の構成を示すブロック図である。
【図５】印刷装置であるインクジェットプリンタの外観を示した斜視図である。
【図６】インクジェットプリンタの要部断面図である。
【図７】インクジェットプリンタのキャリッジ周辺の構成を示した斜視図である。
【図８】反射型光学センサを説明するための模式図である。
【図９】図９Ａは、印刷領域と非印刷領域を有する円板状の媒体であるＰ−ＣＤ−Ｒが印刷された状態を示す図である。図９Ｂは、Ｐ−ＣＤ−Ｒと大きさが同一で、印刷領域がＰ−ＣＤ−Ｒより小さいＣＤ−Ｒが印刷された状態を示す図である。
【図１０】図１０Ａは、印刷領域と非印刷領域の表面処理の違いを示している図である。図１０Ｂは、印刷領域と非印刷領域の材料の違いを示している図である。図１０Ｃは、印刷領域と非印刷領域の断面構造の違いを示している図である。
【図１１】媒体の印刷領域をセンサが検知する様子を示す図である。
【図１２】媒体の円孔の中心側から媒体の円周側に向かって、媒体の印刷領域をセンサが検知する様子を示す図である。
【図１３】媒体の非印刷領域をセンサが検知する様子を示す図である。
【図１４】プリントドライバのユーザーインターフェースの説明図
【図１５】図１５Ａは、報知手段が音による報知である例を示す図である。図１５Ｂは、報知手段が文字による報知である例を示す図である。
【図１６】媒体の印刷領域を検知して、媒体へ印刷するまでを説明するフローチャート
【図１７】媒体の非印刷領域を検知して、媒体へ印刷するまでを説明するフローチャート
【図１８】コンピュータシステムの構成を示すブロック図
【符号の説明】
１０    プリンタ本体                １１    操作パネル
１１１    操作ボタン                １１２    表示ランプ
１２    排紙部                    １２１    排紙トレー
１３    給紙部                    １３１    給紙ホルダ
１３２    給紙ローラ                  １６    アラーム
２５    キャッピング装置            ２６    ポンプユニット
２７    キャップ                    ２９    反射型光学センサ
３８    発光素子                    ３９    受光素子
４０    キャリッジ                  ４１    キャリッジモータ
４２    プラテン                    ４３    紙送りモータ
４４    摺動軸                      ４５    駆動ベルト
４６    プーリ                      ６１    搬送駆動ローラ
６２    搬送従動ローラ            ６２１    搬送従動ローラホルダ
６３    紙検出器                  ６３１    レバー
６４    排紙駆動ローラ              ６５    排紙従動ローラ
８２    媒体                        ８３    円板状媒体
８５    円孔                        ９３    媒体搬送用トレー
１５４    ＣＰＵ                    １５６    ＲＡＭ
１５８    ＲＯＭ                    ２５０    バッファメモリ
２５２    イメージメモリ            ２５４    システムコントローラ
２５６    メインメモリ              ２５８    ＥＥＰＲＯＭ
２６１    主走査駆動回路            ２６２    副走査駆動回路
２６３    ヘッド駆動回路            ２６４    報知手段制御回路
２６５    検知手段制御回路          ３５０    バッファメモリ
３５２    イメージメモリ            ３５４    システムコントローラ
３５６    メインメモリ              ３５８    ＥＥＰＲＯＭ
３６１    主走査駆動回路            ３６２    副走査駆動回路
３６３    ヘッド駆動回路            ３６４    報知手段制御回路
３６５    検知手段制御回路          １０００    コンピュータシステム
１０５０    印刷制御装置            １１０２    コンピュータ本体
１１０４    表示装置                １１０６    プリンタ
１１０８    入力装置                １１０８Ａ  キーボード
１１０８Ｂ  マウス                  １１１０    読取装置
１１１０Ａ  フレキシブルディスクドライブ装置
１１１０Ｂ  ＣＤ−ＲＯＭドライブ装置
２０００    印刷システム            ２０５０      印刷制御装置
２１０４    表示部                  ２１０６      プリント部
２１０８    入力部                  ２１０８Ａ    ボタン
２１１０    読取部                  ２１１０Ａ    スロット
ＩＮＣ１、ＩＮＣ２    インクカートリッジ
ＩＨ１、ＩＨ２、ＩＨ３、ＩＨ４    印字ヘッド
【図１】
2004237554.tif 000003
【図２】
2004237554.tif 000004
【図３】
2004237554.tif 000005
【図４】
2004237554.tif 000006
【図５】
2004237554.tif 000007
【図６】
2004237554.tif 000008
【図７】
2004237554.tif 000009
【図８】
2004237554.tif 000010
【図９】
2004237554.tif 000011
【図１０】
2004237554.tif 000012
【図１１】
2004237554.tif 000013
【図１２】
2004237554.tif 000014
【図１３】
2004237554.tif 000015
【図１４】
2004237554.tif 000016
【図１５】
2004237554.tif 000017
【図１６】
2004237554.tif 000018
【図１７】
2004237554.tif 000019
【図１８】
2004237554.tif 000020